(57)【要約】【課題】簡易な構成で、長期間にわたり建物内部への漏水を防止することのできる配線引き込み構造を提供すること。【解決手段】配線引き込み構造は、建物（１）の屋根部材（２１，２２）に設けられ、屋根部材（２１，２２）に配された接続線（１０）が挿通される屋根穴部（２０）と、屋根穴部（２０）の下方に配置される配線収容部材（３）とを備える。配線収容部材（３）は、排水案内面（３２）と線引込開口（３６）とを含む。排水案内面（３２）は、屋根穴部（２０）からの水を下方から受けて、建物（１）の外部に向けて排水を案内する。線引込開口（３６）は、屋根穴部（２０）よりも上流側に位置し、屋根穴部（２０）から導入された接続線（１０）を、排水案内面（３２）に沿って建物（１）の内部に引き込む。【選択図】図１
2014220870.tif 000002
【特許請求の範囲】
【請求項１】
建物の屋根部材に配された接続線を建物内に引き込むための配線引き込み構造であって、
前記屋根部材に設けられ、前記接続線が挿通される屋根穴部と、
前記屋根穴部の下方に配置される配線収容部材とを備え、
前記配線収容部材は、
前記屋根穴部からの水を下方から受け、前記建物の外部に向けて排水を案内する排水案内面と、
前記屋根穴部よりも上流側に位置し、前記屋根穴部から導入された接続線を、前記排水案内面に沿って前記建物の内部に引き込むための線引込開口とを含む、配線引き込み構造。
【請求項２】
前記配線収容部材の外部側の端部の底面は、前記排水案内面と略同一高さである、請求項１に記載の配線引き込み構造。
【請求項３】
前記配線収容部材は、Ｕ字状断面を有しており、前記排水案内面を有する底壁と、対向する２つの側壁とを含む、請求項１または２に記載の配線引き込み構造。
【請求項４】
前記排水案内面の幅は、前記屋根穴部の径よりも大きい、請求項３に記載の配線引き込み構造。
【請求項５】
前記配線収容部材は、筒形状であり、
前記排水案内面は、前記配線収容部材の内面に含まれる、請求項１または２に記載の配線引き込み構造。
【請求項６】
前記屋根穴部と前記配線収容部材との間に、前記屋根穴部の径よりも大きい径の排水受け部をさらに備える、請求項５に記載の配線引き込み構造。
【請求項７】
前記線引込開口は、前記排水案内面よりも上方に位置する、請求項１〜６のいずれかに記載の配線引き込み構造。
【請求項８】
前記配線収容部材は、前記排水案内面の上流部分を閉塞する閉塞部をさらに含む、請求項１〜７のいずれかに記載の配線引き込み構造。
【請求項９】
前記配線収容部材の外部側の端部は、前記建物に備えられた軒樋の上方まで突出して配置されている、請求項１〜８のいずれかに記載の配線引き込み構造。
【請求項１０】
前記配線収容部材の外部側の端部は、前記建物に備えられた縦樋に接続されている、請求項１〜８のいずれかに記載の配線引き込み構造。
【請求項１１】
前記屋根部材は、勾配を有するように配置される屋根下地材を含み、
前記配線収容部材は、前記屋根下地材の勾配方向に沿うように固定される、請求項１〜１０のいずれかに記載の配線引き込み構造。
【発明の詳細な説明】
【技術分野】
【０００１】
本発明は、配線引き込み構造に関し、特に、建物の屋根部材に配された接続線を建物内に引き込むための配線引き込み構造に関する。
【背景技術】
【０００２】
建物の屋根上に、たとえば太陽光発電装置などの設備機器が設置されることがある。このような場合、屋根部材に配された接続線（たとえば電力線）は、通常、屋根部材に設けられた屋根穴部から建物内に引き込まれる。
【０００３】
屋根穴部から建物内への雨水の浸入を防止するために、特開２００９−６０６８７号公報（特許文献１）には、ロックナットの締め付けにより、屋根材と屋根下地材間でスペーサパッキンが密着挟持される構造が開示されている。また、たとえば特開２０１２−２５７３５４号公報（特許文献２）には、屋根の傾斜面に設けられた引き込み穴に設置されるカバー部材に、傾斜方向下向きに開口する開口部を有するカバー部が含まれることが開示されている。
【０００４】
また、特開２０１１−２０８４４６号公報（特許文献３）に示されるように、配線挿入用の穴とこの穴を覆うカバー材とが予め設けられた配線瓦も知られている。
【先行技術文献】
【特許文献】
【０００５】
【特許文献１】特開２００９−６０６８７号公報
【特許文献２】特開２０１２−２５７３５４号公報
【特許文献３】特開２０１１−２０８４４６号公報
【発明の概要】
【発明が解決しようとする課題】
【０００６】
上述のように、通常は、雨水が屋根穴部から浸入するのを防止するために各種措置が施される。しかしながら、たとえばシーリング材のみによる止水では、シーリング材の劣化に伴い、長期にわたり止水性を維持することは困難である。また、カバー材や水切りにより防水性を高めようとすると、構成が複雑となり部品点数も増えてしまう。さらには、部品点数が増えるとカバー材等が目立ち、結果として美観を損ねてしまう場合もある。
【０００７】
本発明は、上記のような課題を解決するためになされたものであって、その目的は、簡易な構成で、長期間にわたり建物内部への漏水を防止することのできる配線引き込み構造を提供することである。
【課題を解決するための手段】
【０００８】
この発明のある局面に従う配線引き込み構造は、建物の屋根部材に配された接続線を建物内に引き込むための配線引き込み構造であって、屋根部材に設けられ、接続線が挿通される屋根穴部と、屋根穴部の下方に配置される配線収容部材とを備える。配線収容部材は、屋根穴部からの水を下方から受け、建物の外部に向けて排水を案内する排水案内面と、屋根穴部よりも上流側に位置し、屋根穴部から導入された接続線を、排水案内面に沿って建物の内部に引き込むための線引込開口とを含む。
【０００９】
好ましくは、配線収容部材の外部側の端部の底面は、排水案内面と略同一高さである。
【００１０】
好ましくは、配線収容部材は、Ｕ字状断面を有しており、排水案内面を有する底壁と、対向する２つの側壁とを含むことが望ましい。
【００１１】
この場合、排水案内面の幅は、屋根穴部の径よりも大きいことが望ましい。
【００１２】
または、配線収容部材は、筒形状であってもよい。この場合、排水案内面は、配線収容部材の内面に含まれる。
【００１３】
また、屋根穴部と配線収容部材との間に、屋根穴部の径よりも大きい径の排水受け部をさらに備えていてもよい。
【００１４】
好ましくは、線引込開口は、排水案内面よりも上方に位置する。また、配線収容部材は、排水案内面の上流部分を閉塞する閉塞部をさらに含んでいてもよい。
【００１５】
好ましくは、配線収容部材の外部側の端部は、前記建物に備えられた軒樋の上方まで突出して配置されている。または、配線収容部材の外部側の端部は、建物に備えられた縦樋に接続されていてもよい。
【００１６】
好ましくは、屋根部材は、勾配を有するように配置される屋根下地材を含み、配線収容部材は、屋根下地材の勾配方向に沿うように固定される。
【発明の効果】
【００１７】
本発明によれば、配線収容部材により、屋根穴部からの水が線引込開口まで到達しないようにすることができる。したがって、簡易な構成で、長期間にわたり建物内部への漏水を防止または低減することができる。
【図面の簡単な説明】
【００１８】
【図１】本発明の実施の形態１に係る配線引き込み構造を模式的に示す模式断面図である。
【図２】本発明の実施の形態１における配線収容部材の構成例を示す図である。
【図３】本発明の実施の形態１に係る配線引き込み構造の他の例を模式的に示す模式断面図である。
【図４】本発明の実施の形態２に係る配線引き込み構造を模式的に示す模式断面図である。
【図５】本発明の実施の形態２における配線収容部材の構成例を示す図である。
【図６】本発明の実施の形態２における配線収容部材の他の構成例を示す図である。
【図７】本発明の実施の形態３に係る配線引き込み構造を模式的に示す模式断面図である。
【図８】本発明の実施の形態４に係る配線引き込み構造を模式的に示す模式断面図である。
【発明を実施するための形態】
【００１９】
本発明の実施の形態について図面を参照しながら詳細に説明する。なお、図中同一または相当部分には同一符号を付してその説明は繰返さない。
【００２０】
＜実施の形態１＞
本発明の実施の形態１に係る配線引き込み構造について説明する。
【００２１】
図１は、本発明の実施の形態１に係る配線引き込み構造を模式的に示す模式断面図である。図１を参照して、建物１は、勾配を有する屋根部２を備えている。屋根部２の下方には、屋根裏空間としての小屋裏空間６を挟んで、水平方向に広がる天井部１４が配置されている。図１に示される空間７は、天井部１４、外壁１３および床部（図示せず）で囲まれる居室空間である。本実施の形態において、図１中矢印Ａ１で示される、建物１の外部側を向く方向を「軒先側」という。また、矢印Ａ１の反対側の方向、すなわち建物１の内部側を向く方向を「軒元側」という。
【００２２】
屋根部２は、軒先側が下方に傾斜する勾配屋根であり、たとえば切妻屋根や片流れ屋根が想定される。屋根部２は、少なくとも２つの屋根部材、すなわち野地板（屋根下地材）２１および屋根仕上げ材２２を含む。建物１の軒先側には、屋根部２の下方に、鼻隠し材１１および軒天ボード１２が配置されている。鼻隠し材１１および軒天ボード１２は、いずれも屋外に面する外装部材に含まれる。鼻隠し材１１の外面には、鼻隠し材１１に沿って樋１５が配置されている。なお、図１では、野地板２１と屋根仕上げ材２２とが密着された状態が示されているが、屋根仕上げ材２２が瓦などの場合においては、野地板２１と屋根仕上げ材２２との間には部分的に隙間があってよい。
【００２３】
本実施の形態において、屋根部２上には、設備機器として、たとえば太陽光発電装置（図示せず）が設置されている。屋根部２上に設備機器が設置された場合、設備機器からの電力線１０が、屋根部２に設けられた屋根穴部２０に挿通されて、建物１内に引き込まれる。このような場合、一般的には、上述したように、屋根穴部２０からの浸水を防止するための各種措置がとられる。これに対し、本実施の形態では、屋根穴部２０からの浸水を想定して、屋根穴部２０の下方に、配線収容部材３が配置される。
【００２４】
配線収容部材３は、排水案内面３２と線引込開口３６とを含む。排水案内面３２は、屋根穴部２０からの水を下方から受け、軒先側の建物外部に向けて排水を案内する。線引込開口３６は、屋根穴部２０よりも上流側に位置する。また、線引込開口３６は、屋根穴部２０から導入された電力線１０を、排水案内面３２に沿って、建物内部である屋根裏空間（小屋裏空間）６に引き込む。屋根部２の下方に直接居室がある場合には、屋根裏空間は、居住空間であってもよい。以下に、本実施の形態における配線収容部材３の構成および配置例について、詳細に説明する。
【００２５】
図２は、本発明の実施の形態１における配線収容部材３の構成例を示す図である。図２には、一点鎖線で野地板２１の下面２１ａが示されている。また、下面２１ａにおける屋根穴部２０の穴が、符号２０ａとして示されている。
【００２６】
図１および図２を参照して、配線収容部材３は、長さを有する部材であり、長手方向が野地板２１の勾配方向に沿うように配置されている。配線収容部材３は、たとえば隣り合う垂木１６間に配置される。配線収容部材３は、たとえば鋼製であり、コの字型すなわちＵ字状断面を有している。つまり、配線収容部材３は、底壁３１と、対向する２つの側壁３３，３４とを含む。配線収容部材３の軒先側の端部（以下「軒先端部」という）３０ａは開放されている。本実施の形態では、底壁３１自体が、軒先側の方が低くなるよう水勾配がつけられて配置されるため、底壁３１の上面が、上記排水案内面３２として機能する。図２に示されるように、排水案内面３２の幅Ｌ１は、屋根穴部２０の径Ｌ０よりも大きい。
【００２７】
配線収容部材３は、軒元側の端部（以下「軒元端部」という）３０ｂに、後壁３５をさらに含んでいる。後壁３５は、屋根穴部２０よりも軒元側すなわち上流側に位置するように配置される。線引込開口３６は、この後壁３５の下端ではない位置すなわち、排水案内面３２よりも上方の位置に形成される。
【００２８】
側壁３３，３４および後壁３５のうち、少なくとも側壁３３，３４の上端面は、略面一形状であることが望ましい。この場合、配線収容部材３は、これら上端面が野地板２１の下面２１ａに当接された状態で、固定される。なお、配線収容部材３は、固定部材（図示せず）によって、野地板２１に直接固定されてもよいし、隣接する１つまたは２つの垂木１６に固定されてもよい。
【００２９】
本実施の形態では、上述のように、底壁３１の上面が排水案内面３２であり、また、軒先端部３０ａは開放されている。つまり、本実施の形態では、配線収容部材３の軒先端部３０ａの底面は、排水案内面３２と同一高さである。また、配線収容部材３の軒先端部３０ａは、鼻隠し材１１を超えて樋１５上まで突出して配置されている。したがって、屋根穴部２０から浸入した水は、排水案内面３２上を流下し、そのまま、建物１に通常備えられる樋１５に流し込まれる。
【００３０】
また、排水案内面３２は軒元側が高くなるよう傾斜されているため、軒先端部３０ａからの雨水の浸入を低減することもできる。なお、排水さえ容易にできれば、軒先端部３０ａには、配線収容部材３内への雨水の吹き上がりを低減させるための公知の部材が設けられてもよい。たとえば、軒先端部３０ａが、メッシュ材で覆われてもよい。
【００３１】
線引込開口３６は、上述のように、後壁３５において排水案内面３２よりも上方に形成されている。そのため、線引込開口３６の下方に位置する壁によって、排水案内面３２の上流部分が閉塞される。したがって、屋根穴部２０からの水の流量が多い場合であっても、線引込開口３６から屋根裏空間６への漏水のリスクを低減することができる。なお、線引込開口３６の隙間には、シーリング材などの止水処理がさらに施されていてもよい。線引込開口３６にシーリング材を設けた場合、上述のようにシーリング材が劣化することも考えられる。しかしながら、本実施の形態では、線引込開口３６が屋根裏空間６内に設けられるため、屋根裏空間６において、定期的に劣化の有無を確認したり、劣化部分を補修したりすることも可能である。
【００３２】
ここで、流量等によっては、屋根穴部２０からの水が、電力線１０を伝って線引込開口３６付近まで上昇してくることも考えられる。そのため、配線収容部材３内において、電力線１０は、一端、軒先側（下流側）に迂回させた後で軒元側（上流側）に引き込むことが望ましい。したがって、図２に示されるように、配線収容部材３には、迂回部材３７が設けられていてもよい。迂回部材３７は、屋根穴部２０よりも下流側（軒先端部３０ａ側）の位置に設けられる。より具体的には、迂回部材３７は、たとえば、排水案内面３２上に設けられる。この場合、迂回部材３７は、たとえば逆Ｕ字状のフックであってよい。迂回部材３７が設けられた場合、電力線１０は、配線収容部材３内の空間において、迂回部材３７に引掛けられた後に、線引込開口３６に引き込まれる。これにより、電力線１０を伝ってくる水を、迂回位置近辺で切ることができる。その結果、電力線１０を伝う水が、線引込開口３６付近まで上昇してくることを防止することができる。
【００３３】
このように、本実施の形態では、屋根穴部２０から雨水が建物１内に浸入することを前提として、雨水の排水経路を形成する配線収容部材３が設けられる。したがって、屋根穴部２０をシーリング材等により止水したり、カバー材や水切りにより防水したりしていなくても、屋根裏空間６（配線収容部材３の外部）への雨水の浸入を効率的に防止または低減することができる。
【００３４】
また、配線収容部材３は、箱型（断面Ｕ字形状）の簡易な構造であるため、防水性の高いカバー材や水切りを用いるよりも、コストダウンを図ることができる。また、配線収容部材３の軒先端部３０ａは、樋１５により隠れるため、美観を維持することもできる。なお、配線収容部材３と併用して、屋根穴部２０に公知のカバー材や止水材が取り付けられていてもよい。
【００３５】
なお、本実施の形態では、後壁３５に線引込開口３６を形成することとしたが、限定的ではない。たとえば、配線収容部材３は、後壁３５の代わりに、排水案内面３２の上流部分（屋根穴部２０よりも軒元側）を閉塞する部分（閉塞部）を有しているだけでもよい。この場合、たとえば、排水案内面３２の上流部分に、側壁３３，３４よりも低い後壁または凸部を設け、当該後壁または凸部と野地板２１の下面２１ａとの間（隙間）を線引込開口３６としてもよい。または、配線収容部材３の、屋根穴部２０から軒元端部３０ｂまでの長さを十分に取れる場合には、閉塞部を含まなくてもよい。つまり、側壁３３，３４の軒元側の端部と、野地板２１の下面２１ａとで囲まれる開口部が、線引込開口とされてもよい。または、線引込開口は、側壁３３，３４のいずれか一方の軒元端部側に設けられてもよい。
【００３６】
また、本実施の形態では、屋根穴部２０が軒先近くに設けられた例を示した。しかしながら、屋根穴部２０が棟寄り（軒元側であって屋根部２の頂上側）に設けられていても、配線収容部材３の長さを長くすることで適用可能である。
【００３７】
また、本実施の形態では、屋根穴部２０は、野地板２１および屋根仕上げ材２２の両方の屋根部材を貫通するように設けられていたが、野地板２１にのみ設けられていてもよい。この場合、たとえば、設備機器からの電力線１０は、屋根仕上げ材２２としての瓦同士の隙間から、野地板２１上部に配される。
【００３８】
また、本実施の形態では、屋根部２に設置された設備機器と建物１内等に設置された機器とを接続する接続線として、電力線１０を例に説明した。しかしながら、接続線は、線状の部材であれば電力線１０に限定されない。たとえば、接続線は、太陽熱温水装置と給湯器とを接続する給湯管のような管状部材であってもよいし、アンテナと通信機器とを接続する通信ケーブルなどであってもよい。
【００３９】
なお、本実施の形態では、配線収容部材３自体を傾斜させて配置したが、配線収容部材３が、取付け状態において傾斜する排水案内面３２を有していればよい。このことについて、図３を用いて説明する。
【００４０】
図３は、本発明の実施の形態１に係る配線引き込み構造の他の例を模式的に示す模式断面図である。図３を参照して、配線収容部材３Ａは、図１に示した後壁３５よりも高い後壁３５Ａを含む。底壁３１は、取付け状態において水平に配置される。この場合、配線収容部材３Ａは、底壁３１とは独立して、排水案内面３２を有する板状部材３８が設けられる。板状部材３８は、たとえば、取付け状態において排水案内面３２が野地板２１と平行となるように、底壁３１に対して傾斜して配置される。この例においても、線引込開口３６は、後壁３５Ａにおける、排水案内面３２よりも上方位置に設けられている。また、配線収容部材３Ａの側壁は、少なくとも板状部材３８から野地板２１の下面２１ａにまで延びているものとする。
【００４１】
図３に示されるように、板状部材３８は、配線収容部材３Ａの軒先端部３０ａにまで延びている。そのため、底壁３１と独立して排水案内面３２が設けられる場合であっても、軒先端部３０ａにおける底面（すなわち底壁３１の上面）は、排水案内面３２と略同一高さとされる。したがって、この場合も、適切に、屋根穴部２０からの水を建物外部に排出することができる。
【００４２】
＜実施の形態２＞
本発明の実施の形態２に係る配線引き込み構造について説明する。
【００４３】
上記実施の形態１では、Ｕ字状断面を有する箱型の配線収容部材が用いられたのに対し、本実施の形態では、筒形状の配線収容部材が用いられる。以下に、図４および図５を参照して、実施の形態１と異なる部分のみ詳細に説明する。
【００４４】
図４は、本発明の実施の形態２に係る配線引き込み構造を模式的に示す模式断面図である。図５は、本発明の実施の形態２における配線収容部材４の構成例を示す図である。図４および図５を参照して、本実施の形態では、円筒状の配線収容部材４が、野地板２１の勾配方向に沿って（平行に）配置される。配線収容部材４は、固定材８によって、たとえば垂木１６に固定される。
【００４５】
配線収容部材４には、屋根穴部２０からの電力線１０を導き入れ、かつ、屋根穴部２０からの水を受入れるための開口部４０が設けられている。配線収容部材４は、開口部４０の周囲より上方に立ち上がる筒状部４４を含むことが望ましい。本実施の形態では、屋根部２の屋根穴部２０と配線収容部材４の筒状部４４との間に、屋根穴部２０からの排水を受ける排水受け部５が設けられることが望ましい。
【００４６】
排水受け部５は、平面視においてリング状であり、電力線１０を挿通させるための穴５０を有している。排水受け部５は、筒状部４４の上端に連結されている。排水受け部５の径Ｌ２は、屋根穴部２０の径Ｌ０（図２）よりも大きい。そのため、配線収容部材４の筒状部４４の内径が、屋根穴部２０の径以下であったとしても、排水受け部５において、屋根穴部２０からの水を確実に受けることができる。なお、本実施の形態では、排水受け部５をリング状としているが、屋根穴部２０よりも広い幅を有していれば、形状は限定されない。
【００４７】
本実施の形態では、配線収容部材４の内面の一部（下方に位置する円弧面）が、排水案内面４１とされる。実施の形態１と同様に、配線収容部材４の軒先端部４０ａは、鼻隠し材１１よりも外側に突出している。また、配線収容部材４の軒先端部４０ａは、開放されていることから、本実施の形態においても、適切に屋根穴部２０からの排水を建物外部に排出させることができる。
【００４８】
また、屋根穴部２０からの電力線１０は、排水受け部５の穴５０および配線収容部材４の開口部４０を通り、軒元端部４０ｂより引き出される。配線収容部材４は筒状部材であるため、本実施の形態では、軒元端部４０ｂの開口が線引込開口４２とされる。なお、軒元端部４０ｂにおいて、電力線１０の周囲にもシーリング材４３が配置されることが望ましい。これにより、本実施の形態においても、屋根穴部２０の上流側は閉塞される。
【００４９】
本実施の形態によれば、配線収容部材４として、市販されている円筒部材（パイプ）を利用できるため、実施の形態１よりもさらに製造コストを抑えることもできる。また、配線収容部材４の幅Ｌ３を、実施の形態１に示した配線収容部材３の幅Ｌ１よりも狭くすることができるため、鼻隠し材１１に開ける穴や切り込みを、実施の形態１よりも小さくすることができる。
【００５０】
なお、本実施の形態では、屋根部２と配線収容部材４との間に排水受け部５を配置したが、配線収容部材４の筒状部４４の内径が、屋根穴部２０の径以上であれば、排水受け部５を省略することもできる。図６には、排水受け部５を省略した配線引き込み構造が示されている。図６では、図４に示した筒状部４４よりも径の大きい筒状部４４Ａが示されている。この場合、配線収容部材４Ａの開口部４０も筒状部４４Ａに合わせた大きさとされてよい。また、配線収容部材４Ａ自体の幅または内径も、屋根穴部２０の径以上であってよい。幅のみが屋根穴部２０の径以上である場合、配線収容部材４Ａの断面形状は楕円形とされる。
【００５１】
また、排水受け部５は、実施の形態１で示したような箱型の配線収容部材３の排水案内面３２の上部に取り付けられてもよい。
【００５２】
＜実施の形態３＞
本発明の実施の形態３に係る配線引き込み構造について説明する。
【００５３】
上記実施の形態１，２では、配線収容部材は、鼻隠し材を貫通するように配置されたが、本実施の形態では、配線収容部材は、軒天ボードを貫通するように配置される。
【００５４】
図７は、本発明の実施の形態３に係る配線引き込み構造を模式的に示す模式断面図である。図７を参照して、本実施の形態では、屋根部２の屋根穴部２０の下方に、実施の形態２と同様に、円筒状の配線収容部材４Ｂおよび排水受け部５が配置されている。以下に、実施の形態２と異なる部分のみ詳細に説明する。
【００５５】
本実施の形態では、配線収容部材４Ｂは、屋根穴部２０よりも軒先側の位置において下方側に曲折されている。具体的には、軒元端部４０ｂから、屋根穴部２０よりも軒先側の途中位置までは、屋根部２の勾配に沿って配置されているが、当該途中位置から軒先端部４０ａまでは屋根部２の勾配角度よりも急傾斜となる角度で配置される。これにより、配線収容部材４Ｂは、軒先端部４０ａが軒天ボード１２を貫通するように配置される。したがって、屋根穴部２０からの雨水は、軒天ボード１２の下方から建物外部に排出される。
【００５６】
なお、本実施の形態においても、配線収容部材４Ｂの軒先端部４０ａの下方に、たとえば縦方向に延びる樋（図示せず）が配置されていてもよい。その場合、配線収容部材４Ｂの軒先端部４０ａは、縦樋に接続されていてもよい。
【００５７】
また、本実施の形態では、軒天ボード１２を貫通するように、配線収容部材４Ｂは、屋根穴部２０よりも軒先側の位置において下方に曲折されることとした。しかしながら、真直ぐに延びる配線収容部材が、屋根部２の勾配よりも急傾斜となる角度で配置されてもよい。または、建物外部への排水が適切に案内できれば、部分的に可撓部分を有する配線収容部材が、屋根裏空間６内の構造躯体を迂回するように配置されてもよい。つまり、配線収容部材は、少なくとも一部に可撓部分を有していてもよい。
【００５８】
また、配線収容部材は、屋外に面する外装部材であれば、鼻隠し材１１および軒天ボード１２以外の部材を貫通するように配置されてもよい。
【００５９】
＜実施の形態４＞
本発明の実施の形態４に係る配線引き込み構造について説明する。
【００６０】
上記実施の形態１〜３では、勾配屋根の勾配に沿って配線収容部材が取り付けられる例を示したが、本実施の形態では、配線収容部材が、陸屋根の下方に取付けられる。
【００６１】
図８は、本発明の実施の形態４に係る配線引き込み構造を模式的に示す模式断面図である。図８を参照して、本実施の形態の建物１Ａは、屋根部２Ａとして陸屋根を備えている。この場合、外壁１３は、屋根部２Ａの下面にまで延びている。本実施の形態においても、実施の形態２と異なる部分のみ詳細に説明する。
【００６２】
本実施の形態では、屋根部２Ａの屋根穴部２０の下方には、たとえば、円筒状の配線収容部材４Ｃが排水受け部５とともに配置されている。本実施の形態では、屋根部２Ａが略水平に配置されているため、配線収容部材４Ｃは、屋根部２Ａに沿うことなく、単に、軒先端部４０ａが下方側となるよう傾斜して配置される。これに対し、排水受け部５は、実施の形態２と同様に、上部が野地板２１の下面２１ａに接するように配置されている。そのため、配線収容部材４Ｃの筒状部４４Ｂは、軒先側の方が長くなるように形成されている。
【００６３】
本実施の形態では、配線収容部材４Ｃの軒先端部４０ａは、屋根裏空間６Ａの軒先側に位置する外壁１３よりも、外側に突出している。本実施の形態では、配線収容部材４Ｃは、屋根裏空間６Ａ内において、たとえば小屋梁（図示せず）など、屋根裏空間６Ａを構成する部材に固定されてよい。
【００６４】
以上説明したように、各実施の形態の配線引き込み構造によれば、屋根穴部からの水が、線引込開口まで到達しないようにすることができる。したがって、簡易な構成で、長期間にわたり建物内部への漏水を防止することができる。
【００６５】
なお、屋根部（屋根部材）の傾斜の有無、屋根穴部の位置、あるいは屋根裏空間内の構造躯体の位置などに応じて、配線収容部材の形状、寸法、傾斜角度、および取付け位置などを変更してもよい。また、実施の形態１〜４を適宜組み合わせることもできる。
【００６６】
今回開示された実施の形態はすべての点で例示であって制限的なものではないと考えられるべきである。本発明の範囲は上記した説明ではなくて特許請求の範囲によって示され、特許請求の範囲と均等の意味および範囲内でのすべての変更が含まれることが意図される。
【符号の説明】
【００６７】
１，１Ａ  建物、２，２Ａ  屋根部、３，３Ａ，４，４Ａ，４Ｂ，４Ｃ  配線収容部材、５  排水受け部、６，６Ａ  屋根裏空間、７  居室空間、８  固定部材、１０  電力線、１１  鼻隠し材、１２  軒天ボード、１３  外壁、１４  天井部、１５  樋、１６  垂木、２０  屋根穴部、２１  野地板、２２  屋根仕上げ材、３０ａ，４０ａ  軒先端部、３０ｂ，４０ｂ  軒元端部、３１  底壁、３２，４１  排水案内面、３３，３４  側壁、３５，３５Ａ  後壁、３６，４２  線引込開口、３７  迂回部材、３８  板状部材、４０  開口部、４３  シーリング材、４４，４４Ａ，４４Ｂ  筒状部、５０  穴。
【図１】
2014220870.tif 000003
【図２】
2014220870.tif 000004
【図３】
2014220870.tif 000005
【図４】
2014220870.tif 000006
【図５】
2014220870.tif 000007
【図６】
2014220870.tif 000008
【図７】
2014220870.tif 000009
【図８】
2014220870.tif 000010